【手続補正書】
【提出日】平成23年10月6日(2011.10.6)
【手続補正１】
【補正対象書類名】明細書
【補正対象項目名】００１０
【補正方法】変更
【補正の内容】
【００１０】
請求項１に記載のサーバ装置は、ネットワークを介したクライアント装置からの入力イベントに基づいてアプリケーションプログラムを実行し、当該入力イベントに応じた表示情報を生成して前記クライアント装置へ送信するサーバ装置であって、前記クライアント装置で起動可能なアプリケーションプログラムの名称を記憶するクライアントアプリ名記憶手段と、前記クライアント装置からの入力イベントがアプリケーションプログラムの実行要求イベントである場合に、当該アプリケーションプログラムの名称が前記クライアントアプリ名記憶手段により記憶された名称か否かを判断する実行アプリ判断手段と、この実行アプリ判断手段により前記クライアント装置から実行要求されたアプリケーションプログラムの名称が前記クライアントアプリ名記憶手段により記憶された名称であると判断された場合に、前記クライアント装置へ当該名称のアプリケーションプログラムの実行要求を送信するアプリ実行要求送信手段と、を備えたことを特徴としている。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項３に記載のクライアント装置は、ネットワークを介して接続されたサーバ装置に対してユーザ操作に応じた入力イベントを送信し、その入力イベントに応じて前記サーバ装置にて実行されるアプリケーションプログラムに従い生成された表示情報を受信して表示部に表示するクライアント装置であって、本クライアント装置により起動可能なアプリケーションプログラムを記憶するクライアントアプリ記憶手段と、ユーザ操作に応じた入力イベントの送信に応答して、前記サーバ装置から本クライアント装置により起動可能なアプリケーションプログラムの実行要求が受信された場合に、当該アプリケーションプログラムを前記クライアントアプリ記憶手段から読み出して実行するアプリ実行手段と、を備えたことを特徴としている。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
請求項５に記載のサーバベース・コンピューティング・システムは、ネットワークを介して接続されたサーバ装置とクライアント装置とを有し、クライアント装置からの入力イベントに応じてサーバ装置により実行されるアプリケーションプログラムに従い生成された表示情報を前記クライアント装置へ送信して表示させるようにしたサーバベース・コンピューティング・システムあって、前記サーバ装置は、前記クライアント装置で起動可能なアプリケーションプログラムの名称を記憶するクライアントアプリ名記憶手段と、前記クライアント装置からの入力イベントがアプリケーションプログラムの実行要求イベントである場合に、当該アプリケーションプログラムの名称が前記クライアントアプリ名記憶手段により記憶された名称か否かを判断する実行アプリ判断手段と、この実行アプリ判断手段により前記クライアント装置から実行要求されたアプリケーションプログラムの名称が前記クライアントアプリ記憶手段により記憶された名称であると判断された場合に、前記クライアント装置へ当該名称のアプリケーションプログラムの実行要求を送信するアプリ実行要求送信手段とを備え、前記クライアント装置は、本クライアント装置により起動可能なアプリケーションプログラムを記憶するクライアントアプリ記憶手段と、ユーザ操作に応じた入力イベントの送信に応答して、前記サーバ装置のアプリ実行要求送信手段により送信された本クライアント装置により起動可能なアプリケーションプログラムの実行要求が受信された場合に、当該アプリケーションプログラムを前記クライアントアプリ記憶手段から読み出して実行するアプリ実行手段とを備えた、ことを特徴としている。
【手続補正８】
【補正対象書類名】明細書
【補正対象項目名】００１７
【補正方法】変更
【補正の内容】
【００１７】
請求項６に記載のプログラムは、ネットワークを介したクライアント装置からの入力イベントに基づいてアプリケーションプログラムを実行し、当該入力イベントに応じた表示情報を生成して前記クライアント装置へ送信するサーバ装置のコンピュータを制御するためのプログラムであって、前記コンピュータを、前記クライアント装置で起動可能なアプリケーションプログラムの名称をメモリに記憶するクライアントアプリ名記憶手段、前記クライアント装置からの入力イベントがアプリケーションプログラムの実行要求イベントである場合に、当該アプリケーションプログラムの名称が前記クライアントアプリ名記憶手段により記憶された名称か否かを判断する実行アプリ判断手段、この実行アプリ判断手段により前記クライアント装置から実行要求されたアプリケーションプログラムの名称が前記クライアントアプリ名記憶手段により記憶された名称であると判断された場合に、前記クライアント装置へ当該名称のアプリケーションプログラムの実行要求を送信するアプリ実行要求送信手段、として機能させることを特徴としている。
【手続補正９】
【補正対象書類名】明細書
【補正対象項目名】００１８
【補正方法】変更
【補正の内容】
【００１８】
請求項７に記載のプログラムは、ネットワークを介して接続されたサーバ装置に対してユーザ操作に応じた入力イベントを送信し、その入力イベントに応じて前記サーバ装置にて実行されるアプリケーションプログラムに従い生成された表示情報を受信して表示部に表示するクライアント装置のコンピュータを制御するためのプログラムであって、前記コンピュータを、本クライアント装置により起動可能なアプリケーションプログラムを記憶するクライアントアプリ記憶手段、ユーザ操作に応じた入力イベントの送信に応答して、前記サーバ装置から本クライアント装置により起動可能なアプリケーションプログラムの実行要求が受信された場合に、当該アプリケーションプログラムを前記クライアントアプリ記憶手段から読み出して実行するアプリ実行手段、として機能させることを特徴としている。
【手続補正１０】
【補正対象書類名】特許請求の範囲
【補正対象項目名】全文
【補正方法】変更
【補正の内容】
【特許請求の範囲】
【請求項１】
ネットワークを介したクライアント装置からの入力イベントに基づいてアプリケーションプログラムを実行し、当該入力イベントに応じた表示情報を生成して前記クライアント装置へ送信するサーバ装置であって、
前記クライアント装置で起動可能なアプリケーションプログラムの名称を記憶するクライアントアプリ名記憶手段と、
前記クライアント装置からの入力イベントがアプリケーションプログラムの実行要求イベントである場合に、当該アプリケーションプログラムの名称が前記クライアントアプリ名記憶手段により記憶された名称か否かを判断する実行アプリ判断手段と、
この実行アプリ判断手段により前記クライアント装置から実行要求されたアプリケーションプログラムの名称が前記クライアントアプリ名記憶手段により記憶された名称であると判断された場合に、前記クライアント装置へ当該名称のアプリケーションプログラムの実行要求を送信するアプリ実行要求送信手段と、
を備えたことを特徴とするサーバ装置。
【請求項２】
前記クライアントアプリ名記憶手段により記憶される前記クライアント装置で起動可能なアプリケーションプログラムの名称は、当該クライアント装置の接続に伴い同クライアント装置から通知されることを特徴とする請求項１に記載のサーバ装置。
【請求項３】
ネットワークを介して接続されたサーバ装置に対してユーザ操作に応じた入力イベントを送信し、その入力イベントに応じて前記サーバ装置にて実行されるアプリケーションプログラムに従い生成された表示情報を受信して表示部に表示するクライアント装置であって、
本クライアント装置により起動可能なアプリケーションプログラムを記憶するクライアントアプリ記憶手段と、
ユーザ操作に応じた入力イベントの送信に応答して、前記サーバ装置から本クライアント装置により起動可能なアプリケーションプログラムの実行要求が受信された場合に、当該アプリケーションプログラムを前記クライアントアプリ記憶手段から読み出して実行するアプリ実行手段と、
を備えたことを特徴とするクライアント装置。
【請求項４】
本クライアント装置で起動可能なアプリケーションプログラムの名称を前記サーバ装置との接続に伴い当該サーバ装置へ通知するクライアントアプリ通知手段を備えたことを特徴する請求項３に記載のクライアント装置。
【請求項５】
ネットワークを介して接続されたサーバ装置とクライアント装置とを有し、クライアント装置からの入力イベントに応じてサーバ装置により実行されるアプリケーションプログラムに従い生成された表示情報を前記クライアント装置へ送信して表示させるようにしたサーバベース・コンピューティング・システムあって、
前記サーバ装置は、
前記クライアント装置で起動可能なアプリケーションプログラムの名称を記憶するクライアントアプリ名記憶手段と、
前記クライアント装置からの入力イベントがアプリケーションプログラムの実行要求イベントである場合に、当該アプリケーションプログラムの名称が前記クライアントアプリ名記憶手段により記憶された名称か否かを判断する実行アプリ判断手段と、
この実行アプリ判断手段により前記クライアント装置から実行要求されたアプリケーションプログラムの名称が前記クライアントアプリ記憶手段により記憶された名称であると判断された場合に、前記クライアント装置へ当該名称のアプリケーションプログラムの実行要求を送信するアプリ実行要求送信手段とを備え、
前記クライアント装置は、
本クライアント装置により起動可能なアプリケーションプログラムを記憶するクライアントアプリ記憶手段と、
ユーザ操作に応じた入力イベントの送信に応答して、前記サーバ装置のアプリ実行要求送信手段により送信された本クライアント装置により起動可能なアプリケーションプログラムの実行要求が受信された場合に、当該アプリケーションプログラムを前記クライアントアプリ記憶手段から読み出して実行するアプリ実行手段とを備えた、
ことを特徴とするサーバベース・コンピューティング・システム。
【請求項６】
ネットワークを介したクライアント装置からの入力イベントに基づいてアプリケーションプログラムを実行し、当該入力イベントに応じた表示情報を生成して前記クライアント装置へ送信するサーバ装置のコンピュータを制御するためのプログラムであって、
前記コンピュータを、
前記クライアント装置で起動可能なアプリケーションプログラムの名称をメモリに記憶するクライアントアプリ名記憶手段、
前記クライアント装置からの入力イベントがアプリケーションプログラムの実行要求イベントである場合に、当該アプリケーションプログラムの名称が前記クライアントアプリ名記憶手段により記憶された名称か否かを判断する実行アプリ判断手段、
この実行アプリ判断手段により前記クライアント装置から実行要求されたアプリケーションプログラムの名称が前記クライアントアプリ名記憶手段により記憶された名称であると判断された場合に、前記クライアント装置へ当該名称のアプリケーションプログラムの実行要求を送信するアプリ実行要求送信手段、
として機能させるためのプログラム。
【請求項７】
ネットワークを介して接続されたサーバ装置に対してユーザ操作に応じた入力イベントを送信し、その入力イベントに応じて前記サーバ装置にて実行されるアプリケーションプログラムに従い生成された表示情報を受信して表示部に表示するクライアント装置のコンピュータを制御するためのプログラムであって、
前記コンピュータを、
本クライアント装置により起動可能なアプリケーションプログラムを記憶するクライアントアプリ記憶手段、
ユーザ操作に応じた入力イベントの送信に応答して、前記サーバ装置から本クライアント装置により起動可能なアプリケーションプログラムの実行要求が受信された場合に、当該アプリケーションプログラムを前記クライアントアプリ記憶手段から読み出して実行するアプリ実行手段、
として機能させるためのプログラム。